(57)【要約】【課題】この発明は、建設機械の運転席で、使用位置と不使用位置とに変位可能に取り付けられたカップホルダ付きアームレストに関する。【解決手段】アームレストにカップホルダを収納すると共に少なくとも一側方が開放された中空部が形成されており、該中空部にカップホルダを出没自在に収納し、前記カップホルダは、アームレストから離間する方向に引き出して使用位置に変位し、または逆方向に戻して前記中空部内に収納される不使用位置に変位しうるようになっていることを特徴とする。上記構成に代えて、アームレストの先端部を、後方基部側に対して回転自在に取り付け、その先端部を回転することで、カップ受部を上面とする使用位置と、底面に隠す不使用位置に変位させてもよい。【選択図】  図１
2006151107.tif 000002
【特許請求の範囲】
【請求項１】
アームレストにカップホルダを収納すると共に少なくとも一側方が開放された中空部が形成されており、該中空部にカップホルダを出没自在に収納し、
前記カップホルダは、アームレストから離間する方向に引き出して使用位置に変位し、または逆方向に戻して前記中空部内に収納される不使用位置に変位しうるようになっていることを特徴とする建設機械の運転席のカップホルダ付きアームレスト。
【請求項２】
アームレストにカップホルダを収納すると共に少なくとも一側方が開放された中空部が形成されており、該中空部にカップホルダを収納し、該カップホルダはその基端側で前記中空部の開放された個所寄りに上下に延びる枢軸で枢着されており、
前記カップホルダは、前記枢軸を中心にしてアームレストから離間する方向に回転して使用位置に変位し、または逆方向に回転して前記中空部内に収納される不使用位置に変位しうるようになっていることを特徴とする請求項１に記載の建設機械の運転席のカップホルダ付きアームレスト。
【請求項３】
アームレストの先端部を、後方基部側に対してアームレストの長手方向に伸びる軸線を中心にして回転自在に取り付けており、
前記先端部を、その一側面にカップ受部を設けてカップホルダとし、前記先端部を回転することでカップ受部を上面とする使用位置と、カップホルダを上面以外の面にする不使用位置に変位しうることを特徴とする建設機械の運転席のカップホルダ付きアームレスト。
【請求項４】
アームレストの先端部を、後方基部側に対してアームレストの長手方向に伸びる軸線を中心にして回転自在に取り付けており、
前記先端部を、その一側面にアームレストの後方基部から延長するアームレスト先端面部を形成し、その他の側面に１または複数の受部を設け、
該受部の少なくとも１つをカップ受部としてなることを特徴とする建設機械の運転席のカップホルダ付きアームレスト。
【請求項５】
アームレストの先端部に形成された複数の受部の形状が異なっており、小物入れまたはカップ受部となっていることを特徴とする請求項４に記載の建設機械の運転席のカップホルダ付きアームレスト。
【発明の詳細な説明】
【技術分野】
【０００１】
この発明は、建設機械の運転席で、使用位置と不使用位置とに変位可能に取り付けられたカップホルダ付きアームレストに関する。
【背景技術】
【０００２】
建設機械の運転室２０内には、図６に示すように、紙コップや缶、ボトルなどのカップ類を保持するためのカップホルダ２３が、例えば、運転席２１の右側（作業アタッチメント側）のコンソールボックス２２のケーシング前面に突出するように固着されている（特開２００４−４２７３０号）。
特に、建設機械が小旋回機の場合には運転室２０のスペースは更に狭くなる。
このカップホルダ２３は固定されているので、狭い運転室２０内において、オペレータの作業視界を妨げている。
また、カップホルダ２３は、常時、コンソールボックス２２から外側に突出しているので、運転室２０という限られたスペースを制限することになる。
このように設置場所が限られる分、使い勝手を良くすることが難しい。
【特許文献１】特開２００４−４２７３０号  図１参照
【発明の開示】
【発明が解決しようとする課題】
【０００３】
この発明の解決しようとする問題点は、運転席に着座しているオペレータの作業視界を妨げることがなく、最も使いやすい場所に設置することができ、専用のスペースを設ける必要がない建設機械の運転席のカップホルダ付きアームレストを提供することにある。
この発明の更なる課題は、用途に合わせて、異なる形状のホルダを複数設置することができる運転席のカップホルダ付きアームレストを提供することにある。
【課題を解決するための手段】
【０００４】
上記課題を解決するために、請求項１の発明では、
アームレストにカップホルダを収納すると共に少なくとも一側方が開放された中空部が形成されており、該中空部にカップホルダを出没自在に収納し、
前記カップホルダは、アームレストから離間する方向に引き出して使用位置に変位し、または逆方向に戻して前記中空部内に収納される不使用位置に変位しうるようになっていることを特徴とする。
また、請求項２の発明では、
前記アームレストにカップホルダを収納すると共に少なくとも一側方が開放された中空部が形成されており、該中空部にカップホルダを収納し、該カップホルダはその基端側で前記中空部の開放された個所寄りに上下に延びる枢軸で枢着されており、
前記カップホルダは、前記枢軸を中心にしてアームレストから離間する方向に回転して使用位置に変位し、または逆方向に回転して前記中空部内に収納される不使用位置に変位しうるようになっていることを特徴とする。
また、請求項３の発明では、
アームレストの先端部を、後方基部側に対してアームレストの長手方向に伸びる軸線を中心にして回転自在に取り付けており、
前記先端部を、その一側面にカップ受部を設けてカップホルダとし、前記先端部を回転することでカップ受部を上面とする使用位置と、カップホルダを上面以外の面にする不使用位置に変位しうることを特徴とする。
また、請求項４の発明では、
アームレストの先端部を、後方基部側に対してアームレストの長手方向に伸びる軸線を中心にして回転自在に取り付けており、
前記先端部を、その一側面にアームレストの後方基部から延長するアームレスト先端面部を形成し、その他の側面に１または複数の受部を設け、
該受部の少なくとも１つをカップ受部としてなることを特徴とする。
また、請求項５の発明では、
前記アームレストの先端部に形成された複数の受部の形状が異なっており、小物入れまたはカップ受部となっていることを特徴とする。
【発明の効果】
【０００５】
この発明の建設機械の運転席のカップホルダ付きアームレストでは、使用時にはカップホルダを使用位置に変位して使用に供し、不使用時には元に戻してアームレストとして使用するので、カップホルダがオペレータの作業視界を妨げることがなく、最も使いやすい場所に設置することができ、また専用のスペースを設ける必要がない。
更に、先端部の各表面に異なる形状の受部を形成することで、用途に合わせて、異なる形状のホルダを複数設置することができる。
【発明を実施するための最良の形態】
【０００６】
この発明では、アームレストにカップホルダを収納する中空部を形成して、該中空部からカップホルダを使用時には突出させ、不使用時には没入してアームレストとして機能させて、運転席回りのスペースを有効に使用することを実現した。
また、アームレストの先端部を回転可能とし、その先端部の表面に受部を形成することで、該先端部を回転して受部を表面に出したり、背面に隠して使用して、運転席回りのスペースを有効に使用することを実現した。
以下にこの発明のカップホルダ付きアームレストの好適実施例について図面を参照しながら説明する。
【実施例１】
【０００７】
図１に示すカップホルダ付きアームレスト１は、運転席に取り付けられているが、例えば図６に示すように、運転席２１のシートの側方に設けた操縦レバー２５付きのコンソール２６の上部に取り付けられるものでもよい。
このアームレスト１は、長手方向に伸びるブロック状のアームレスト本体１Ａと、その上面を一連に覆って形成され、使用者が肘をついた際に直接に受ける肘載せ面部１Ｂとからなっている。
【０００８】
そして、アームレスト本体１Ａの先端側にカップホルダを収納する中空部２が形成されている。
この中空部２は、図示例の場合、アームレスト本体１Ａの先端側と一側面（運転席の内側）とが連なって開放されている。
【０００９】
そしてこの中空部２にはカップホルダ３が収納される。
カップホルダ３は、ブロック片からなっており、ほぼ中央に上面が開口する凹部からなってボトルや缶を収納する受部４が形成されている。
また、カップホルダ３の先端で後述のカップホルダ３が回転する側に突状の指掛け部５が形成されている。
【００１０】
このカップホルダ３は、その基端側で前記中空部２の開放された個所寄り、即ち、カップホルダ３が回転する側に上下に延びる枢軸Ｐ１でアームレスト本体１Ａに枢着されている。
これにより、前記カップホルダ３は、図１（ａ）に示す不使用位置から前記枢軸Ｐ１を中心にしてアームレスト本体１Ａから離間する運転席の内側ａ方向に回転して図１（ｂ）に示す使用位置に変位する。
また、図１（ｂ）の使用位置からカップホルダ３を逆のｂ方向に回転して前記中空部２内に収納することで図１（ａ）の不使用位置に戻す。
【００１１】
このように、カップホルダ３は、不使用時には完全にアームレスト本体１Ａ内に収納され、外側に突出することがなく、一方、使用時にだけカップホルダ３をアームレスト本体１Ａから外側へ突出させて使用に供することができる。
上記実施例では、カップホルダ３を運転席の内側方向に向かって回転させる場合を例示したが、逆に運転席から離れる外側方向に回転させて使用位置とするものであってもよい。
【００１２】
その場合の中空部２は、アームレスト本体１Ａの先端側と他側面（運転席の外側）とが連なって開放される。
また、中空部の開放を、先端側と左右両側方を一連に開放して、カップホルダを運転席の内側方向にも、反対の外側方向にも回転できるようにしてもよい。
なお、この発明ではアームレスト１はアームレスト本体１Ａと肘載せ面部１Ｂとに分かれているが、一体に形成されたものでもよいこと勿論である。
【実施例２】
【００１３】
図２に示すカップホルダ付きアームレスト１は、実施例１と同様にアームレスト本体１Ａの先端側にカップホルダを収納する中空部２が形成されている。
この中空部２は、図示例の場合、アームレスト本体１Ａの一側面（運転席の内側）だけが開放されている。
カップホルダ３は、前記実施例と同様に受部４を有するブロック片からなっているが、指掛け部５となるフック状の窪み部が、カップホルダ３の側面に形成されている。
【００１４】
そして、使用者は上記指掛け部５に指を掛けて内側方向へ摺動して引き出すことにより、カップホルダ３をアームレスト本体１Ａに収納される不使用位置から、アームレスト本体１Ａから突出する使用位置に変位することができる。
不使用時には、カップホルダ３を中空部２内に押し込むことで収納することができる。  この際に、カップホルダ３には、前記中空部２からカップホルダ３を引き出した際に抜け落ちないよう図示しない抜止め部を設けることが好ましい。
【００１５】
また、カップホルダ３の摺動をスムーズにするためのガイド構造を中空部２の内周壁とカップホルダ３の外周面とに形成してもよい。
また、この場合もカップホルダ３の引出し方向は、運転席から離れる外側方向であってもよい。
その他の構成は、実施例１に準じるので、その説明を省略する。
【実施例３】
【００１６】
次に、図３に示すカップホルダ付きアームレスト１は、先端部１０Ａと後方基部１０Ｂとに二分されており、先端部１０Ａを後方基部１０Ｂに対してアームレスト１の長手方向に伸びる中心線Ｌを中心にして回転自在に取り付けている。
即ち、アームレスト１は、図３（ｂ）に示すように、断面が長方形となり先端に向かって徐々に小さくなる截頭四角錐形状からなっており、先端部分が分離されて先端部１０Ａとなっている。
この際、アームレスト１は、コンソール上にではなく中空位置に保持され、あるいは少なくとも先端部１０Ａが中空位置に保持された構成からなっている。
【００１７】
この先端部１０Ａは、図３（ｃ）に示すように、４面の側壁面の１面側で開口する凹部が形成されて受部４となっており、この面と対向する側壁面は扁平面となっており、前記凹部は塞がれている。
また、図示例では、その他の２つの側壁面も扁平面となって、先端部１０Ａがカップホルダ３として機能している。
【００１８】
この先端部１０Ａには、図３（ａ）に示すように、背面の中央に、中心線に沿って回転用の軸部６が突設されている。
なお、６ａは、軸部６の中途位置に突設されて回転角度を規制するための係止部である。
また、後方基部１０Ｂには、先端面で、前記軸部６を回転可能に軸受けする筒状の軸受部７が中心線に沿って埋設されている。
【００１９】
この軸受部７には、前記係止部６ａを通すガイド溝７ａが形成されている。
このガイド溝７ａは、軸線方向に伸びて係止部６ａを挿通し、所定の回転角度（実施例では１８０度）分だけ周方向に延びる略Ｌ字状の溝からなっている。
上記構成からなっているので、使用時には、図３（ｂ）のアームレスト１の使用状態から、アームレスト１の先端部１０Ａを１８０度回転することで、底面に配置されていた受部４を上面に反転する使用位置に変位して、カップホルダとして使用することができる（図３（ｃ）参照）。
【００２０】
また、不使用時には、図３（ｃ）の状態から前記先端部１Ａを逆方向に１８０度回転して受部４を底面位置に戻す不使用位置に変位する（図３（ｂ）参照）。
これにより、先端部１０Ａには扁平な表面が表れ、後方基部１０Ｂの表面と一連に連続して、アームレスト１として機能させる。
【実施例４】
【００２１】
図４に示すカップホルダ付きアームレスト１は、実施例３のアームレスト１の先端部１Ａの異なる実施例を示す。
このアームレスト１は、図示例では、実施例１と同様にアームレスト本体１Ａと、肘付き面部１Ｂとを一体に固着した形状からなると共に、実施例３と同様に先端部１０Ａと後方基部１０Ｂとに分離している。
【００２２】
このアームレスト１の先端部１０Ａは、アームレスト本体先端部１ａと、先端が突出する肘付き面部先端部１ｂとを一体に形成したもので、４面の周壁がそれぞれが異なる構成からなっている。
即ち、周壁の第１面１１は、図４（ａ）に示すように、アームレスト本体先端部１ａの表面であって先端が半円形状に突出しており、後方基部１０Ｂと連続して一連のアームレスト１として機能する。
また、第１面１１と対向して裏面となる第３面１３には、図４（ｄ）に示すように、断面円形の凹状の受部４が形成されてカップホルダとして機能する。
【００２３】
そして、これらの両側となる第２面１２および第４面１４には、一方（図示例では図４（ｂ）に示す第２面）に形状の異なる、例えば断面矩形の凹部からなる受部４’が形成され、他方（図４（ｃ）に示す第３面）に小物入れ用に用いる断面が略矩形の凹部からなる受部４”が形成されている。
上記受部４、４’、４”の受部の形状・構成は、上記実施例に限定されるものではなく、適宜用途に応じた種々形状とするすることができる。
【００２４】
また、この構造の場合、先端部１Ａは後方基部１Ｂに対して３６０度回転するよう軸支されており、図示しないが、前記実施例と同様に、先端部１Ａの中心線に沿って回転用の軸部６が突設されており、軸受部７に対して９０度間隔で係脱可能に係止して回転位置でロックされ、所定以上の力を入れるとロックを解除して回転可能となる公知の係止機構を設けることが好ましい。
その他の構成は、前記実施例３の構成と同様であるので同一の符号を付してその説明を省略する。
【００２５】
これによって、使用者は、先端部１０Ａを９０度づつ回転することで、第１面１１を表面とするアームレストの状態から、第２面を表面とするペットボトル等を収納するカップホルダの状態、第３面の缶などのカップホルダの状態、第４面１４の小物を収納する小物入れの状態に、それぞれ変位することができる。
上記実施例では４面全てを異なる機能とした場合を例示したが、３面または２面だけ利用するものでもよい。
【実施例５】
【００２６】
図５（ａ）に示すカップホルダ付きアームレスト１は、実施例４の先端部１０Ａと同様に、ブロック状のアームレスト本体先端部１ａと、先端が突出するプレート状の肘付き面部先端部１ｂとを一体に形成したものである。
そして、肘付き面部先端部１ｂの表面が第１面１１として、後方基部１０Ｂと連続して一連のアームレスト１として機能する。
また、これと対向する第３面１３には、図５（ｂ）に示すように凹状の受部４が形成されてカップホルダとして機能し、第２面１２、第４面１４には凹部を形成していない。
【００２７】
そして、第１面１１となる肘付き面部先端部１ｂには凹部状の受部１５を形成し、その開口を開閉可能に塞ぐ蓋１６を設けている（図５（ａ）（ｃ）参照）。
これにより、先端部１Ａが第１面１１を表面としてアームレスト１として使用する際にも、前記蓋付き受部１５を小物入れとして使用することができる。
その他の構成は前記実施例と同様であるので、同一構成には同一符号を付して、その説明を省略する。
【００２８】
また、上記各実施例では、アームレストの形状を断面が正方形または長方形からなる截頭四角錐形状の場合を例示したが、その他の多角形状や、円形、楕円形状など、先端部を回転させても輪郭形状がほぼ同様となる形状であればよい。
また、各実施例の構成は、他の実施例にその一部を組み合わせ、または置き換えうるものである。
その他、要するにこの発明の要旨を変更しない範囲で種々設計変更しうること勿論である。
【図面の簡単な説明】
【００２９】
【図１】実施例１のアームレストの斜視図であり、（ａ）はカップホルダを収納した状態、（ｂ）はカップホルダを使用位置にした状態を示す図である。
【図２】実施例２のアームレストの斜視図であり、（ａ）はカップホルダを収納した状態、（ｂ）はカップホルダの使用位置にした状態を示す図である。
【図３】実施例３のアームレストの斜視図であり、（ａ）は先端部と基端部の分解斜視図、（ｂ）はアームレストの使用状態を示す図、（ｃ）はカップホルダとしての使用状態を示す図である。
【図４】実施例４のアームレストの斜視図であり、（ａ）は第１面を表面としたアームレストの使用状態を示す図、（ｂ）は第２面を表面としたカップホルダの使用位置とした図、（ｃ）は第４面を表面とした小物入れの使用位置とした図、（ｄ）は第３面を表面としたカップホルダの使用位置とした図である。
【図５】実施例５のアームレストの斜視図であり、（ａ）は第１面を表面としたアームレストの使用状態を示す図、（ｂ）は第３面を表面としたカップホルダの使用位置とした図、（ｃ）は第１面を表面とし、小物入れの蓋を開いて使用位置とした図である。
【図６】運転室内の従来のカップホルダの取付位置を示す部分斜視図である。
【符号の説明】
【００３０】
１    アームレスト
１Ａ  アームレスト本体
１Ｂ  肘付き面部
２    中空部
３    カップホルダ
４    受部
５    指掛け部
６    軸部
６ａ  係止部
７    軸受部
７ａ  ガイド溝
１０Ａ  先端部
１０Ｂ  後方基部
１１    第１面
１２    第２面
１３    第３面
１４    第４面
【図１】
2006151107.tif 000003
【図２】
2006151107.tif 000004
【図３】
2006151107.tif 000005
【図４】
2006151107.tif 000006
【図５】
2006151107.tif 000007
【図６】
2006151107.tif 000008